(57)【要約】【課題】入口から目的とする部屋までの行程が長い集合住宅等の大規模建物において、上記部屋へ至るまでの安全の確保を図る。【解決手段】建物の玄関に設けられ、当該玄関に至った者が携行するノンタッチキー１１の信号より、特定の部屋への入室許可者であることを判定する受信機１および入室制御器２と、建物内の複数箇所に設けられて必要部を撮影するテレビカメラ５と、入室制御器２により判定された特定の部屋の階に設けられたテレビカメラ５を、テレビカメラ５の中から選択する選択回路３および映像スイッチング回路４と、入口に設けられ、選択されたテレビカメラ５による撮影画像を表示するモニタ６とを備える。【選択図】        図１
2008262431.tif 000002
【特許請求の範囲】
【請求項１】
建物の入口に至った者が建物内の部屋に入室する許可者か否かを判定するステップと、許可者であることを認識した場合に前記部屋に至る建物内の必要部の撮影画像を前記入口に表示するステップとを備える建物の保安方法。  
【請求項２】
建物の入口に設けられ、当該入口に至った者が携行する入室識別具より特定の部屋への入室許可者であることを判定する入室判定手段と、建物内の複数箇所に設けられて必要部を撮影する撮影手段と、前記入室判定手段により判定された前記特定の部屋に至る経路上の撮影手段を、前記複数の撮影手段から選択する選択手段と、前記入口に設けられ、選択された前記撮影手段による撮影画像を表示する表示手段とを備える建物の保安装置。
【請求項３】
前記入室判定手段は、入室識別具から出力される部屋番号を含むデータを、前記特定の部屋の部屋番号を含む登録データと照合して、照合結果が一致した時に前記選択手段に前記特定の部屋の部屋番号を含む選択用データを出力し、前記選択手段は前記選択用データに基づいて、前記特定の部屋に至る経路上の撮影手段を前記表示手段に選択的に接続するように設定されている請求項２に記載の建物の保安装置。
【発明の詳細な説明】
【技術分野】
【０００１】
本発明は建物の保安方法および保安装置に関し、特に、テレビカメラ等を使用して危険を事前に回避することができる保安方法および保安装置に関する。
【背景技術】
【０００２】
マンション等の集合住宅においてはテレビインターホンシステムが普及している。これはテレビカメラを付設したマンション入口のロビーインターホンと、各部屋に設置されたモニタ付きの住戸用インターホンを備えており、訪問者があると、ロビーインターホンのテレビカメラで撮影された訪問者の映像が各部屋のモニタ上に表示されるようになっている。このようなシステムは例えば特許文献１に示されている。
【特許文献１】特開平８−１７２６２３
【発明の開示】
【発明が解決しようとする課題】
【０００３】
ところで近年においては、大規模化した集合住宅では入居者が住宅の入口から自室へ向かう途中で不審者に遭遇することがあり、これを未然に回避することは上記従来のテレビインターホンシステム等では不可能であるという問題がある。
【０００４】
そこで、本発明はこのような課題を解決するもので、特に入口から目的とする部屋までの行程が長い集合住宅等の大規模建物において、上記部屋へ至るまでの安全の確保を図った建物の保安方法および保安装置を提供することを目的とする。
【課題を解決するための手段】
【０００５】
上記目的を達成するために、本第１発明の建物の保安方法では、建物の入口に至った者が建物内の部屋に入室する許可者か否かを判定するステップと、許可者であることを認識した場合に前記部屋に至る建物内の必要箇所の撮影画像を前記入口に表示するステップとを備える。
【０００６】
本第１発明においては、建物内の部屋の入室許可者は建物の入口において、当該入口に表示された、部屋に至る建物内の必要箇所の撮影画像を確認してから部屋に向かうことができ、上記部屋へ入るまでの安全の確保を図ることができる。  
【０００７】
本第２発明の建物の保安装置では、建物の入口に設けられ、当該入口に至った者が携行する入室識別具（１１）より特定の部屋への入室許可者であることを判定する入室判定手段（１，２）と、建物内の複数箇所に設けられて必要部を撮影する撮影手段（５）と、入室判定手段（１，２）により判定された特定の部屋に至る経路上の撮影手段（５）を、複数の撮影手段の中から選択する選択手段（３，４）と、入口に設けられ、選択された撮影手段（５）による撮影画像を表示する表示手段（６）とを備える。本第２発明においても本第２発明と同様の効果を得ることができる。
【０００８】
本第３発明では、上記入室判定手段（１，２）は、入室識別具（１１）から出力される部屋番号を含むデータを、特定の部屋の部屋番号を含む登録データと照合して、照合結果が一致した時に選択手段（３，４）に特定の部屋の部屋番号を含む選択用データ（２ａ）を出力し、選択手段（３，４）は選択用データ（２ａ）に基づいて、特定の部屋に至る経路上の撮影手段（５）を表示手段（６）に選択的に接続するように設定されている。
【０００９】
なお、上記カッコ内の符号は、後述する実施形態に記載の具体的手段との対応関係を示すものである。
【発明の効果】
【００１０】
以上のように、本発明によれば、集合住宅等の大規模建物において、入口から目的とする部屋へ至るまでの安全の確保を図ることができる。
【発明を実施するための最良の形態】
【００１１】
図１には本発明を実現する装置構成の一例を示す。本例は集合住宅に設置される保安装置の一例であり、住宅の入口（玄関）には受信機１が設けられている。入居者が、携行する入室識別具としてのノンタッチキー１１を受信機１に接近させると、受信機１はノンタッチキー１１から無線で部屋番号を含むデータを受信する。なお、ノンタッチキーに代えてノンタッチカードやノンタッチタグ等であっても良い。
【００１２】
受信されたデータは入室制御器２に入力し、ここで登録データと照合されて、これと合致すると図２に示すようなＲＳ−４２２シリアル通信用の選択用データ２ａに変換される。選択用データ２ａは、ＡＳＣＩＩコード１桁の送信開始部（ＳＴＸ）に続いて２桁のゲート番号（Ｇ）を有し、その後に５桁で部屋番号（Ｒ）が続く。部屋番号の後には３桁の送信機番号（Ｋ）が続き、最後は１桁の送信終了部（ＥＴＸ）と１桁のチェック部になっている。入室制御器２はまた、入口の自動扉を開放するための信号等を出力する。
【００１３】
上記選択用データ２ａは選択回路３へ伝送される。本実施形態においては、選択回路３は選択用データ２ａに含まれる部屋番号から当該部屋のある階を判定して、これに対応する接点出力３ａを送出する。上記接点出力３ａは集合住宅の階数に対応する数だけ設けられており、例えば部屋番号が３０６であれば部屋が３階にあると判定されて、３番目の接点出力が送出される。
【００１４】
各接点出力３ａは映像スイッチング回路４に入力している。映像スイッチング回路４には集合住宅の各階の廊下を見渡すように設置された、各階数分のテレビカメラ５が接続されてその映像信号が入力している。映像スイッチング回路４は、入力した上記接点出力に対応する階のテレビカメラ５を、玄関の受信機１の近くに設けられたモニタ６に選択的に接続して、上記テレビカメラ５の映像をモニタ６上に表示させる。このようにして入居者は、集合住宅の入口から自室へ向かう前に、自室階の廊下の様子を玄関のモニタ画面で確認することができ、不審者との遭遇を未然に回避することができる。
【００１５】
なお、上記実施形態では自室のある階の廊下に設けたテレビカメラを選択接続する構成としたが、エントランスやエレベータ内にもテレビカメラを設置して、これらのテレビカメラの映像も玄関に表示するようにすれば、さらなる安全確保を図ることができる。また、本発明の適用対象は集合住宅等に限られるものではなく、会社、学校、役所等の大規模建物に広く適用することができ、この場合には、建物内に複数配置したテレビカメラのうちから、目的とする部屋へ至る経路に設けたテレビカメラを一又は複数選択して、これらの映像を入口のモニタに表示するようにする。
【図面の簡単な説明】
【００１６】
【図１】本発明の一実施形態を示す装置構成のブロック図である。
【図２】入室データのデータフォーマットを示す図である。
【符号の説明】
【００１７】
１…受信機（入室判定手段）、１１…ノンタッチキー（入室識別具）、２…入室制御器、２ａ…選択用データ、３…選択回路（選択手段）、４…映像スイッチング回路、５…テレビカメラ（撮影手段）、６…モニタ（表示手段）。
【図１】
2008262431.tif 000003
【図２】
2008262431.tif 000004